(57)【要約】      （修正有）【課題】ワイヤレスマウスがマウスパッドの給電可能な領域から外れることが原因で、電力が供給できなくなりワイヤレスマウスの操作が不能になることを防止することができる非接触給電システムを提供する。【解決手段】ワイヤレスマウスの非接触給電システム１では、マウスパッド２は、マウスパッド上のワイヤレスマウス３の位置を検出する位置検出手段と、マウスパッドの操作面に配設された複数の給電コイルＬｐ１，Ｌｐ２，Ｌｐｎと、これらの複数の給電コイルの中から前記位置検出手段で検出されたワイヤレスマウスの位置に対応する少なくとも１つの給電コイルを選択する給電用選択手段と、該給電用選択手段にて選択された給電コイルに供給用電力を供給する電力供給手段と、を備え、ワイヤレスマウスは、前記選択された給電コイルと受電コイルとの電磁誘導によって得られる誘導電力を電気二重層キャパシタに蓄電する第一蓄電手段を備えている。【選択図】図１
2009271846.tif 000002
【特許請求の範囲】
【請求項１】
マウスパッドの操作面に配設された給電コイルとワイヤレスマウスに設けられた受電コイルとの電磁誘導によって、前記マウスパッドに設けられた電源部から供給される電力を前記ワイヤレスマウスの動作用の電力として非接触給電するように構成されたワイヤレスマウスの非接触給電システムにおいて、
前記マウスパッドは、
マウスパッド上のワイヤレスマウスの位置を検出する位置検出手段と、
マウスパッドの操作面に配設された複数の給電コイルと、
これらの複数の給電コイルの中から前記位置検出手段で検出されたワイヤレスマウスの位置に対応する少なくとも１つの給電コイルを選択する給電用選択手段と、
該給電用選択手段にて選択された給電コイルに供給用電力を供給する電力供給手段と、
を備え、
前記ワイヤレスマウスは、
前記選択された給電コイルと受電コイルとの電磁誘導によって得られる誘導電力を蓄電する第一蓄電手段を備えたことを特徴とするワイヤレスマウスの非接触給電システム。
【請求項２】
位置検出手段は、
複数の給電コイルの中から順番に１つずつ選択する位置検出用手段を備え、
該位置検出用選択手段にて選択された給電コイルに位置検出用電力を供給し、給電コイルの端子電圧の変化に基づいて、ワイヤレスマウスの位置を検出するように構成されていることを特徴とする請求項１に記載のワイヤレスマウスの非接触給電システム。
【請求項３】
第一蓄電手段は、電気二重層キャパシタを用いたことを特徴とする請求項１または２のいずれかに記載のワイヤレスマウスの非接触給電システム。
【請求項４】
給電コイルの形状は、多角形としたことを特徴とする請求項１から３のいずれかに記載のワイヤレスマウスの非接触給電システム。
【請求項５】
給電コイルの形状は、円形としたことを特徴とする請求項１から３のいずれかに記載のワイヤレスマウスの非接触給電システム。
【請求項６】
給電コイルをマトリクス状配線の各交点に配置するとともに、行及び列の配線ごとに第一選択手段及び第二選択手段を接続してなるドライブ回路を設けたことを特徴とする請求項１から５のいずれかに記載のワイヤレスマウスの非接触給電システム。
【請求項７】
ワイヤレスマウスは、さらに、第一蓄電手段に所定の電力量が供給されたか否かを判定する電力量判定手段を備え、
電力量判定手段によって第一蓄電手段に所定の電力量が供給されたと判定された場合、その旨の信号をマウスパッドに送信する送信手段と、
を備え、
マウスパッドは、さらに、第一蓄電手段に所定の電力量が供給された旨の信号を受信する受信手段と、
第一蓄電手段に所定の電力量が供給された旨の信号を受信すると、ワイヤレスマウスへの給電を中断する第一制御手段と、
を備える請求項１から６のいずれかに記載のワイヤレスマウスの非接触給電システム。  
【請求項８】
ワイヤレスマウスは、
第一蓄電手段よりも蓄電できる電力が大きい第二蓄電手段と、
第一蓄電手段及び第二蓄電手段に所定の電力量が給電されたか否かを判定する判定手段と、
第一蓄電手段が所定の電力量に達したと判定された場合、電力の蓄電先を第一蓄電手段から第二蓄電手段に切り替える蓄電切替手段と、
第二蓄電手段が所定の電力量に達したと判定された際に、マウスパッドに対して給電停止の旨を送信する送信手段と、
を備え、
マウスパッドは、送信手段からの給電停止の旨を受信する受信手段と、
給電停止の旨を受信した場合、ワイヤレスマウスへの給電を中断する第二制御手段と、
を備える請求項１から７のいずれかに記載のワイヤレスマウスの非接触給電システム。
【請求項９】
位置検出手段によって給電コイルに供給される位置検出用電力は、電力供給手段によって給電コイルに供給される供給用電力より小さい電力とされることを特徴とする請求請１から８のいずれかに記載のワイヤレスマウスの非接触給電システム。
【発明の詳細な説明】
【技術分野】
【０００１】
本発明は、ワイヤレス方式のマウスに対して非接触で電力を供給する技術に関する。
【背景技術】
【０００２】
パーソナルコンピュータ（以下では、コンピュータ）等を操作する際に、キーボードと併用してワイヤレス方式のマウス（以下では、単にマウスともいう）が利用されることが多い。
このマウスは、コンピュータのＵＳＢ端子等に接続する接続線を有さず、コンピュータ本体に対してユーザからの指示を赤外線等によって伝えるものであり、使用するにはマウスに駆動させるための電力を供給する必要がある。
【０００３】
マウスに電力を供給する方法の一つとして、電磁誘導を利用した充電スタンド方式が知られている。
これは、マウスと充電スタンドの間に電気的接点を設けず、マウスを充電スタンドにセットすることによってマウス内に内蔵された二次電池に対して電磁誘導による非接触給電を行うものである（特許文献１参照）。
【０００４】
しかし、マウス内部に給電された電力を蓄電するための二次電池を内蔵する必要があるため、該電池の重量による操作性の問題や、電池電圧の垂下特性により電池電圧が突然低下し予期せぬ作業の中断等の恐れがある。
【０００５】
そこで、電磁誘導を利用した非接触給電方式として、マウスパッドを用いる方式が提案されている。これは、コンピュータのＵＳＢ端子からマウスパッドに電力を供給して、供給された電力を、図２６に示すようにマウスパッドの全周（辺縁部）に埋め込まれた１つの給電コイルから電磁誘導によってマウスに組み込まれた受電用コイルに給電するものである。
【０００６】
なお、電磁誘導を利用した非接触給電の方式に関して、複数の給電コイルと非給電コイルと非給電装置の位置検出回路を設け、非給電装置の置き方に自由を持たせるとともに、複数の給電装置に対して同時に電力供給が可能な装置が開示されている（特許文献２参照）。
【０００７】
【特許文献１】特開２００４−２２２４９１号公報
【特許文献２】特開２００６−１４９１６８号公報
【発明の開示】
【発明が解決しようとする課題】
【０００８】
しかしながら、マウスの駆動に必要な電力をマウスパッドの全周（辺縁部）に埋め込まれた１つの給電コイルから供給する技術は、マウス内部に駆動に必要な電力を蓄える蓄電部が備えられていないためマウスがマウスパッドの給電可能な領域から外れると、マウスに対して駆動するための電力を供給できなくなり、マウスの操作が不能になると問題がある。
【０００９】
しかるに、特許文献２に記載の技術は被給電装置の位置検出を行うことで被給電装置の置き方に対する自由度を高めるとともに、複数の電子機器に対して同時に電力を供給する技術であり、上記課題を根本的に解決するものではない。
【００１０】
本発明は、上記実情に鑑みてなされたものであり、ワイヤレスマウスがマウスパッドの給電可能な領域から外れることが原因で、電力が供給できなくなりワイヤレスマウスの操作が不能になることを防止することができる非接触給電システムを提供することを目的とする。
【課題を解決するための手段】
【００１１】
上記課題は以下の手段によって解決される。
（１）マウスパッドの操作面に配設された給電コイルとワイヤレスマウスに設けられた受電コイルとの電磁誘導によって、前記マウスパッドに設けられた電源部から供給される電力を前記ワイヤレスマウスの動作用の電力として非接触給電するように構成された非接触給電システムにおいて、前記マウスパッドは、マウスパッド上のワイヤレスマウスの位置を検出する検出手段と、マウスパッドの操作面に配設された複数の給電コイルと、これらの複数の給電コイルの中から前記位置検出手段で検出されたワイヤレスマウスの位置に対応する少なくとも１つの給電コイルを選択する給電用選択手段と、該給電用選択手段にて選択された給電コイルに供給用電力を供給する電力供給手段と、を備え、前記ワイヤレスマウスは、前記選択された給電コイルと受電コイルとの電磁誘導によって得られる誘導電力を蓄電する第一蓄電手段を備えたことを特徴とするワイヤレスマウスの非接触給電システム。
【００１２】
（２）位置検出手段は、複数の給電コイルの中から順番に１つずつ選択する位置検出用手段を備え、該位置検出用選択手段にて選択された給電コイルに位置検出用電力を供給し、給電コイルの端子電圧の変化に基づいて、ワイヤレスマウスの位置を検出するように構成されていることを特徴とする前項（１）に記載のワイヤレスマウスの非接触給電システム。
（３）第一蓄電手段は、電気二重層キャパシタである前項（１）または（２）のいずれかに記載のワイヤレスマウスの非接触給電システム。
【００１３】
（４）給電コイルの形状は、多角形である前項（１）から（３）のいずれかに記載のワイヤレスマウスの非接触給電システム。
（５）給電コイルの形状は、円形である前項（１）から（３）のいずれかに記載のワイヤレスマウスの非接触給電システム。
【００１４】
（６）給電コイルをマトリクス状配線の各交点に配置するとともに、行及び列の配線ごとに第一選択手段及び第二選択手段を接続してなるドライブ回路を設けたことを特徴とする前項（１）から（５）のいずれかに記載のワイヤレスマウスの非接触給電システム。
【００１５】
（７）ワイヤレスマウスは、さらに、第一蓄電手段に所定の電力量が供給されたか否かを判定する電力量判定手段を備え、電力量判定手段によって第一蓄電手段に所定の電力量が供給されたと判定された場合、その旨の信号をマウスパッドに送信する送信手段と、を備え、マウスパッドは、さらに、第一蓄電手段に所定の電力量が供給された旨の信号を受信する受信手段と、第一蓄電手段に所定の電力量が供給された旨の信号を受信すると、ワイヤレスマウスへの給電を中断する第一制御手段と、を備える前項（１）から（６）のいずれかに記載のワイヤレスマウスの非接触給電システム。
【００１６】
（８）ワイヤレスマウスは、第一蓄電手段よりも蓄電できる電力が大きい第二蓄電手段と、第一蓄電手段及び第二蓄電手段に所定の電力量が給電されたか否かを判定する判定手段と、第一蓄電手段が所定の電力量に達したと判定された場合、電力の蓄電先を第一蓄電手段から第二蓄電手段に切り替える蓄電切替手段と、第二蓄電手段が所定の電力量に達したと判定された際に、マウスパッドに対して給電停止の旨を送信する送信手段と、を備え、
マウスパッドは、送信手段からの給電停止の旨を受信する受信手段と、給電停止の旨を受信した場合、ワイヤレスマウスへの給電を中断する第二制御手段と、を備える前項（１）から（７）のいずれかに記載のワイヤレスマウスの非接触給電システム。
【００１７】
（９）位置検出手段によって給電コイルに供給される位置検出用電力は、電力供給手段によって給電コイルに供給される供給用電力より小さい電力とされることを特徴とする前項（１）から（８）のいずれかに記載のワイヤレスマウスの非接触給電システム。
【発明の効果】
【００１８】
前項（１）に記載の発明によれば、マウスパッドの操作面上にあるワイヤレスマウスの位置が検出され、位置検出されたワイヤレスマウスに対応する少なくとも一以上の給電コイルから電磁誘導によってワイヤレスマウスに誘導電力が供給され、該ワイヤレスマウスの第一蓄電手段に誘導電力が蓄電される。
これにより、ワイヤレスマウスがマウスパッドの給電可能な領域から外れることが原因で、電力が供給できなくなりワイヤレスマウスの操作が不能になることを防止することができる。
【００１９】
前項（２）に記載の発明によれば、給電コイルの端子電圧の変化に基づいてワイヤレスマウスの位置を検出することができる。
前項（３）に記載の発明によれば、第一蓄電手段を電気二重キャパシタとすることによって、従来の蓄電手段と比べて、使用可能となるまでの時間、換言すれば給電時間が短縮されるので作業効率が向上する。また、従来の二次電池より広い温度範囲において安定した充放電挙動を示すので、周囲の環境変化に影響されず安定したマウスの使用ができる。また、従来の二次電池よりサイクル寿命が長く50万から100万回の深い充放電が可能であるので、メンテナンスの必要性が少ない。さらに重金属等を含まないので廃棄時の環境負荷が極めて小さいという効果が得られる。
前項（４）に記載の発明によれば、給電コイルの形状を多角形とすることができる。これにより、例えば、給電コイルの形状を正六角形とすることで給電効果の高い給電コイルの配置が可能となる。
前項（５）に記載の発明によれば、給電コイルの形状を円形とすることによって、給電コイルの形成が容易にできる。
【００２０】
前項（６）に記載の発明によれば、マウスパッド内の配線をマトリクス状（格子状）として、行及び列の配線ごとに第一選択手段及び第二選択手段を用いることによって、構成部品数を節減することができる。
前項（７）に記載の発明によれば、マウスの第一蓄電手段が所定の電圧に達した場合、その旨の信号がマウスパッドに送信され、その旨を受けたマウスパッドは給電を停止する。これにより、第一蓄電手段が所定の電圧に達したにも関わらずマウスパッドからワイヤレスマウスへの給電が継続されることによる電力の損失を防止することができる。
【００２１】
前項（８）に記載の発明によれば、給電が開始された際には、まず、第一蓄電手段に電力が蓄電され、第一蓄電手段が所定の電圧に達した場合、電力の蓄電先が第二蓄電手段に切り替えられる。これにより、まず第二蓄電手段よりも蓄電可能な電力量の小さい第一蓄電手段に電力が蓄電されるので、ワイヤレスマウスが短時間で使用可能になる。また、第一蓄電手段が所定の電圧に達した場合、蓄電先が第二蓄電手段に切り替えられるので、ワイヤレスマウスが給電可能領域を離れた場合であっても長時間、その状態での使用が可能となる。
前項（９）に記載の発明によれば、位置検出時に給電コイルに供給される電力をワイヤレスマウスに電力を供給する際に給電コイルに供給される電力よりも小さくすることによって、給電時には高い充電能力を確保し、位置検出時には優れた省エネルギー効果が得られる。
【発明を実施するための最良の形態】
【００２２】
以下、本願請求項に係る発明（以下では、単に「本発明」という）を実施するための最良の形態について図面を参照しながら説明する。
本発明に係る非接触給電システム１の構成を、図１を参照しながら説明する。
【００２３】
図１は、非接触給電システム１の概略構成を示す図であり、図に示すように非接触給電システム１はマウスパッド２とマウス３とを備えている。
マウスパッド２は、ユーザがマウス３を良好に使用するために用いられるものであり、制御部２１やパッド部２２等を備えている。また、マウスパッド２はコンピュータのＵＳＢ端子やＡＣアダプターに接続されており、ＵＳＢ端子やＡＣアダプターを介して電力を取得してマウス３に動作用の電力を供給する。
【００２４】
制御部２１は、マウスパッド２の全体を統括的に制御するが、詳しくは後述する。
パッド部２２は、ユーザがマウス３を操作する領域であり、正方形の形状をしたｎ個の給電コイルＬｐ１〜Ｌｐｎが互いに密接するように二次元的に敷き詰められており、マウス３の位置検出や電力の供給を行う際に利用される。なお、本実施形態では、給電コイルＬｐ１〜Ｌｐｎの形状を正方形として説明するが、長方形や正六角形等の多角形や円形であってもよい。
【００２５】
マウス３は、ユーザがコンピュータに接続されたディスプレイ等の画面上に表示されるポインタやアイコンを操作するために用いられる入力装置であり、マウス部受電用コイルＬｍ（詳しくは、後述する）等を備えているが、詳しくは後述する。
【００２６】
図２は、マウスパッド２の断面を示した図である。
マウスパッド２には、図２に示すように基材２５上に上述したようにｎ個の給電コイルＬｐ１〜Ｌｐｎが互いに密に接するように二次元的に配置され、表面保護材２６によって保護されている。
また、給電コイルＬｐ１〜Ｌｐｎのいずれか１つとマウス部受電用コイルＬｍとの電磁誘導によってマウス３のパッド部２２上での位置検出や位置検出されたマウス３への誘導電力の供給が行われる。
【００２７】
次に、マウスパッド２の概略構成を、図３を参照しながら説明する。
図３は、マウスパッド２のブロック図を示したものである。
図３に示すように、マウスパッド２は、制御部２１、位置選択部３２、給電選択部３３、電源部３４、及び前述したように給電コイルＬｐ１〜Ｌｐｎを備えている。
【００２８】
制御部２１は、上述したようにマウスパッド２の全体を統括的に制御する他、パルス発振器３５を備え、またマウス３の位置を検出する位置検出手段として用いられるものである。
パルス発振器３５は、マウス３の位置検出やマウス３への給電の際に所定の周波数のパルスを発振する。
【００２９】
位置選択部３２は、位置検出用選択手段として用いられるものであり、ｎ個のトランジスタＴｒｄ１、Ｔｒｄ２、Ｔｒｄ４、…、Ｔｒｄｎから構成され（以下では、位置検出用トランジスタという）、位置検出を行う際に位置検出用電力を供給する給電コイルを、給電コイルＬｐ１〜Ｌｐｎの中から一つ選択する。
【００３０】
給電選択部３３は、給電用選択手段として用いられるものであり、ｎ個のトランジスタＴｒｐ１、Ｔｒｐ２、Ｔｒｐ３、…、Ｔｒｐｎ（以下では、給電動作用トランジスタＴｒｐ１、Ｔｒｐ２、Ｔｒｐ３、…、Ｔｒｐｎともいう）から構成され、位置検出されたマウス３に給電を行う際に、給電用電力を供給する給電コイルを、給電コイルＬｐ１〜Ｌｐｎの中から一つ選択する。
【００３１】
給電コイルＬｐ１〜Ｌｐｎは、パッド部２２上で操作されているマウス３の位置を検出する際に、及び検出されたマウス３に対して電磁誘導によって電力を供給する際に用いられる。
電源部３４は、コンピュータからＵＳＢ端子等を介して直流電流を得て、各部を駆動させるための電力を供給する。
【００３２】
次に、図４を参照しながらパッド部２２への給電コイルＬｐ１〜Ｌｐｎの敷き詰め方について説明する。
【００３３】
（ａ）は給電コイルの形状を正六角形とした場合、（ｂ）は給電コイルの形状を正方形とした場合、また（ｃ）は給電コイルの形状を円形とした場合の配置例を示した図である。
（ａ）及び（ｂ）には磁界の空白領域（以下では、デッドゾーンという）はほぼ存在しないが、（ｃ）の給電コイルを円形とした場合には、大きいデッドゾーンが存在する。
【００３４】
また、（ｄ）と（ｅ）とはそれぞれ、給電コイルの形状を正方形とし、隣接行のコイルの位置をずらさない場合とずらした場合の、給電コイルとマウス部受電用コイルＬｍとの電磁結合度の比較を示している。
【００３５】
（ｄ）の場合より（ｅ）の場合の方が、給電コイルとマウス部受電用コイルＬｍとの電磁結合度が高くなるので、マウス３の位置検出が安定的に行われ、給電コイルからマウス部受電用コイルＬｍへの電力伝送効率も高くなる。
なお、（ｆ）のように、多数の円形の給電コイルを縦横に行列状に配置する場合にも、隣接行のコイルの位置をずらした方が、（ｃ）に示したようにずらさない場合に比べてデッドゾーンを小さくできる。
【００３６】
以上から、給電コイルは、マウス部受電用コイルＬｍとの電磁結合度を高め、デッドゾーンを極力少なくするためには密に隣接するように配置した方良い。そのため、給電コイルの形状を正六角形とするのが最も好ましいが、その他の多角形や正方形、長方形、あるいは楕円形や円形としても良い。
なお、本実施形態では、上述したように給電コイルの形状を正方形として説明する。
【００３７】
（実施例１）
次に、実施例１を説明する。
図５は、実施例１で使用されるマウス３の回路構成を示した図である。
図５に示すように、マウス３はマウス回路４０とマウス電源部４１とを備えている。
マウス回路４０は、電源部４１以外のワイヤレスマウスとしての機能を発揮するための回路であるが、この回路が有するマウスの操作伝達の方法等は公知の技術であるのでここでは詳細な説明は割愛する。
【００３８】
電源部４１は、マウス３を駆動させるための電力を供給するものである。
図５に示すように、電源部４１は、マウス部受電用コイルＬｍ、定電圧化回路４２、ＥＤＬＣ４３、過充電防止回路４４、ダイオード４５、過電圧防止回路４６、整流回路４７、及び共振用キャパシタ４８を備えている。なお、マウス部受電用コイルＬｍは給電コイルＬｐ１〜Ｌｐｎとの電磁結合度を高めるために、マウス３の底面に配置されている。
【００３９】
定電圧化回路４２は、ＤＣ−ＤＣコンバータであり、蓄積電荷量に比例して変動するＥＤＬＣ４３の端子間電圧を、定電圧化して負荷に供給する。
ＥＤＬＣ４３は、電気二重層キャパシタ（Electric Double-Layer Capacitor）であり、電磁誘導によって得られる誘導電力を蓄電する。
【００４０】
過充電防止回路４４は、ＥＤＬＣ４３に電荷が徐々に蓄積してその端子間電圧が定格電圧を超えるのを防止する。
ダイオード４５は、電流が逆流するのを防止する。
過電圧防止回路４６は、ＥＤＬＣ４３への給電電圧がＥＤＬＣ４３の定格電圧を超えるのを防止する。
【００４１】
整流回路４７は、マウス部受電用コイルＬｍに発生する交流電流をＥＤＬＣ４３に蓄電するために直流に変換する。
共振用キャパシタ４８は、給電コイルからマウス部受電用コイルＬｍに伝送される誘導電力の伝送効率を向上させるためのものであり、マウス部受電用コイルＬｍと共振用キャパシタ４８とで直列共振回路を構成する。
【００４２】
なお、伝送効率の向上を図る必要がない場合には、共振用のキャパシタ４８を接続しなくてもよいが、共振回路を構成した方がマウス部受電用コイルＬｍの位置検出が容易になると共に、ＥＤＬＣ４３が蓄電できる誘導電力も大きくなる。
【００４３】
また、共振用キャパシタ４８の静電容量Ｃは、
【数１】
2009271846.tif 000003
で求められる。
但し、Ｌはマウス部受電用コイルＬｍのインダクタンスを、ｆはパルス発振器３５から発振されるパルス波の周波数をそれぞれ表す。
【００４４】
また、本実施形態では、直列共振回路を構成するものとしたが、マウス部受電用コイルＬｍに並列に共振用キャパシタ４８を挿入し、並列共振回路を構成するものとしてもよい。
【００４５】
次に、パッド部２２の回路構成を、図６を参照しながら説明する。
パッド部２２は、図６に示すように位置検出用トランジスタＴｒｄ１、Ｔｒｄ２、Ｔｒｄ３、…、Ｔｒｄｎ、給電動作用トランジスタＴｒｐ１、Ｔｒｐ２、…、Ｔｒｐｎ、給電コイルＬｐ１、Ｌｐ２、Ｌｐ３、…、Ｌｐｎ、抵抗Ｒａ、Ｒ、位置検出モードトランジスタＴｒａ、ダイオードＤ、及びキャパシタＣを備えている。
【００４６】
端子Ａと端子ＢとはコンピュータのＵＳＢ端子等に接続されており、これら端子を介して直流電圧が回路に供給される。
端子Ａｐは、パルス発振器３５に、また端子Ｖｘは、制御部２１にそれぞれ接続されている。
位置検出モードトランジスタＴｒａは、マウス３の位置検出、換言すればマウス部受電用コイルＬｍの位置検出を行う際に使用されるトランジスタであり、給電コイルＬｐ１、Ｌｐ２、…、Ｌｐｎにパルス信号を供給する。
【００４７】
抵抗Ｒａは位置検出動作の際に各給電コイルＬｐ１、Ｌｐ２、…、Ｌｐｎに流れる電流を制限するための抵抗である。
ダイオードＤは、電流の逆流を防ぎ、半波整流を行うものである。
抵抗ＲとキャパシタＣとで、平滑回路が構成されている。
【００４８】
次に、回路の動作の仕組みを説明する。
Ａ端子およびＢ端子にコンピュータのＵＳＢ端子等から供給される直流電圧が印加されると、まずマウス３の位置、換言すればマウス部受電用コイルＬｍの位置を検出するために、制御部２１は位置検出用トランジスタＴｒｄ１、Ｔｒｄ２、Ｔｒｄ３、…、Ｔｒｄｎのいずれか１つをＯＮにし、残りをＯＦＦにする。
【００４９】
そして、パルス発振器３５からＡｐ端子に、図７の（ａ）に示すパルス信号が印加される。これによって、位置検出モードトランジスタＴｒａがスイッチングされ、給電コイルＬｐ１、Ｌｐ２、…、Ｌｐｎのいずれかに１つに図７（ａ）と同波形の位置検出用パルス信号が入力される。
その後、後述する方法によってマウス部受電用コイルＬｍの位置検出が行われる。
次に、マウス部受電用コイルＬｍの位置が検出されると、制御部２１は、マウス部受電用コイルＬｍの位置に応じて給電動作用トランジスタＴｒｐ１、Ｔｒｐ２、Ｔｒｐ３、…、Ｔｒｐｎのいずれか１つを除く、残りをＯＦＦにする。
【００５０】
次に、マウス部受電用コイルＬｍの位置に応じて、給電動作用トランジスタＴｒｐ１、Ｔｒｐ２、Ｔｒｐ３、…、Ｔｒｐｎのいずれか１つのベースに、パルス発振器３５から
図７の（ａ）に示すパルス信号が印加される。これによって、給電コイルＬｐ１、Ｌｐ  ２、…、Ｌｐｎのいずれか１つに図７（ａ）と同波形のパルス信号が入力され、マウス  部受電用コイルＬｍに対して電磁誘導によって電力が供給される。
【００５１】
なお、マウスの位置検出を行う際に必要とされる電流値は、マウスに電力を供給する際に必要とされる電流値に比べて小さくても良い。即ち、マウスの位置検出を行う際に給電コイルに流すパルス信号の電流値は、給電を行う際に給電コイルに流す電流値と比べて小さくする方がシステムの電力消費を抑制することができる。
そのため、位置検出動作の際に各給電コイルに流れるパルス信号の電流値が、給電動作の際に各給電コイルに流れる電流値よりも小さくなるように位置検出モードトランジスタＴｒａのベース抵抗Ｒａの値は大きく設定してある。
【００５２】
次に、マウス３の位置検出及び給電を行う手順を、図８に示すフローチャートに関連付けて説明する。
まず、給電コイルＬｐ１上にマウス部受電用コイルＬｍが存在するか否かの判断を行うために、Ａ端子及びＢ端子にコンピュータのＵＳＢ端子等から供給される直流電圧が印加されると、一定の時間Ｔｄ（以下では、位置検出時間という）の間、位置検出用トランジスタＴｒｄ１を除く全ての位置検出用トランジスタＴｒｄ２、Ｔｒｄ３、…、ＴｒｄｎをＯＦＦとし、また全ての給電動作用トランジスタＴｒｐ１、Ｔｒｐ２、Ｔｒｐ３、…、ＴｒｐｎをＯＦＦとする制御信号が制御部２１から各トランジスタのベースに印加される（ステップＳ４）。一方、位置検出用トランジスタＴｒｄ１のみをＯＮにする制御信号が、制御部２１から位置検出用トランジスタＴｒｄ１のベースに印加される（ステップＳ５）。
【００５３】
次に、パルス発振器３５からＡｐ端子に、図７（ａ）に示すパルス信号が印加され、給電コイルＬｐ１だけに図７（ａ）に示したパルス信号と同波形の位置検出用パルス信号が入力される（ステップＳ６）。
給電コイルＬｐ１に、図７（ａ）に示したパルス信号と同波形の位置検出用パルス信号が一定の位置検出時間Ｔｄの間入力されると（ステップＳ７）、給電コイルＬｐ１の端子間電圧を、ダイオードＤ、抵抗Ｒ及びキャパシタＣからなる半波整流回路と平滑回路で整流した給電コイルＬｐ１の両端の電圧値Ｖｘが、制御部２１で取得される。
【００５４】
制御部２１は、電圧値Ｖｘと予め設定された基準電圧値Ｖｒの大小を比較する（ステップＳ１０）。
なお、基準電圧値Ｖｒは、マウス部受電用コイルＬｍが、選択された給電コイル上に存在しない時にはＶｘ≧Ｖｒとなる一方、マウス部受電用コイルＬｍが選択された給電コイル上に存在する時には、該給電コイルとマウス部受電用コイルＬｍとの電磁誘導によってインピーダンスが変化することにより、Ｖｘ＜Ｖｒとなるような値に設定されている。
【００５５】
図６の場合には、マウス部受電用コイルＬｍがＬｐ１上に存在しないので、図７（ｂ）に示すようにＶｘ≧Ｖｒとなるので制御部２１はＬｐ１上にマウス部受電用コイルＬｍが存在しないと判断する（ステップＳ１０で「ＮＯ」）。
次に、給電コイルＬｐ２上にマウス部受電用コイルＬｍが存在するか否かの判断を行うために、一定の時間Ｔｄの間、位置検出用トランジスタＴｒｄ２以外の全ての位置検出用トランジスタＴｒｄ１、Ｔｒｄ３、…、ＴｒｄｎをＯＦＦ、全ての給電動作用トランジスタＴｒｐ１、Ｔｒｐ２、Ｔｒｐ３、…、ＴｒｐｎをＯＦＦに（ステップＳ４）、及び位置検出用トランジスタＴｒｄ２のみをＯＮにする制御信号が各トランジスタのベースに印加される（ステップＳ５）。
【００５６】
その後、パルス発振器３５からＡｐ端子に、図７（ａ）に示すパルス信号が印加され、給電コイルＬｐ２だけに図７（ａ）に示したパルス信号と同波形の位置検出用パルス信号が入力される（ステップＳ６）。
そして、先に述べたのと同様にして、給電コイルＬｐ２の端子間電圧をダイオードＤ、抵抗Ｒ及びキャパシタＣからなる半波整流回路と平滑回路で整流した電圧値Ｖｘが、制御部２１で取得される。
【００５７】
制御部２１は、取得した電圧値Ｖｘと基準電圧値Ｖｒの大小を比較する（ステップＳ１０）。
図６の場合には、マウス部受電用コイルＬｍが給電コイルＬｐ２上に存在するため、給電コイルＬｐ２とマウス部受電用コイルＬｍとの電磁誘導によってインダクタンスが変化し、図７（ｃ）に示すようにＶｘ＜Ｖｒとなる。
制御部２１は、給電コイルＬｐ２上にマウス部受電用コイルＬｍが存在すると判断して、位置検出動作を停止して給電動作に移行する。
【００５８】
次に、給電コイルＬｐ２から電磁誘導によって給電を行うために、制御部２１は全ての位置検出用トランジスタＴｒｄ１、Ｔｒｄ２、Ｔｒｄ３、…ＴｒｄｎをＯＦＦ、及び給電動作用トランジスタＴｒｐ２を除く全ての給電動作用トランジスタＴｒｐ１、Ｔｒｐ３、…ＴｒｐｎをＯＦＦにする制御信号を各トランジスタのベースに印加する（ステップＳ１１）。
【００５９】
その後、マウス部受電用コイルＬｍの位置検出に用いたのと同じ、図７（ａ）に示すパルス信号が一定の時間Ｔｃ（以下では、給電時間ともいう）の間、給電動作用トランジスタＴｒｐ２のベースに入力され（ステップＳ１２）、ＵＳＢ端子からＢ端子に供給される直流電力が給電用パルス信号に変換されて給電コイルＬｐ２に供給される。
【００６０】
給電コイルＬｐ２に電流が流れることによって磁界が発生し、この磁界の影響を受けてマウス部受電用コイルＬｍに電位差が生じ、一定の給電時間Ｔｃの間、給電コイルＬｐ２からマウス部受電用コイルＬｍに電磁誘導によって給電が行われる。
マウス３内では、マウス部受電用コイルＬｍの両端に発生したパルス電力（高周波電力）が、整流回路４７によって整流され、過電圧防止回路４６を経て、ＥＤＬＣ４３に蓄電される。
【００６１】
なお、給電動作の際に各給電コイルに流入される給電用パルス信号の電流は、位置検出動作の場合の位置検出用パルス信号の電流より大きな電流が必要となるので、給電動作用トランジスタＴｒｐ１、Ｔｒｐ２、Ｔｒｐ３、…、Ｔｒｐｎのベース抵抗値は、位置検出用トランジスタＴｒｄ１、Ｔｒｄ３、…、Ｔｒｄｎのベース抵抗値よりも小さくなるように設定されている。
【００６２】
次に、給電時間Ｔｃを経過した後（ステップＳ１３）、制御部２１は、給電動作用トランジスタＴｒｐ２に供給していた図７（ａ）に示すパルス信号と同波形の給電用パルス信号の供給を停止する（ステップＳ１４）。
そして、マウス部受電用コイルＬｍが、まだ給電コイルＬｐ２上にあるか否かの判定を行うために、制御部２１は、位置検出用トランジスタＴｒｄ２以外の位置検出用トランジスタＴｒｄ１、Ｔｒｄ３、…、ＴｒｄｎをＯＦＦに、及び全ての給電動作用トランジスタＴｒｐ１、Ｔｒｐ２、Ｔｒｐ３、…、ＴｒｐｎをＯＦＦに（ステップＳ４）、また位置検出用トランジスタＴｒｄ２のみをＯＮにする制御信号を各トランジスタに印加する（ステップＳ５）。
【００６３】
次に、パルス発振器３５からＡｐ端子に、図７（ａ）のパルス信号が印加され、給電コイルＬｐ２に再び図７（ａ）に示したパルス信号と同波形の位置検出用パルス信号が入力される。（ステップＳ６）
以下、制御部２１は上記と同様にしてマウス部受電用コイルＬｍが給電コイルＬｐ２上に存在するか否かを判断する。
そして、マウス部受電用コイルＬｍが引き続き給電コイルＬｐ２上に存在すると判断すれば、再び給電コイルＬｐ２に対して上述した給電動作を繰り返す。上記動作に関係する信号の状態を表したのが図９である。
【００６４】
一方、マウス部受電用コイルＬｍが給電コイルＬｐ２上に存在しないと判断すると、制御部２１は給電コイルＬｐ３上にマウス部受電用コイルＬｍが存在するか否かの判断を行うために、位置検出用トランジスタＴｒｄ３以外の全ての位置検出用トランジスタＴｒｄ１、Ｔｒｄ２、Ｔｒｄ４、…、ＴｒｄｎをＯＦＦに、全ての給電動作用トランジスタＴｒｐ１、Ｔｒｐ２、Ｔｒｐ３、…、ＴｒｐｎをＯＦＦに、及び位置検出用のトランジスタＴｒｄ３のみをＯＮにする制御信号を送る。
【００６５】
次に、制御部２１内のパルス発振器３５からＡｐ端子に、図７（ａ）のパルス信号が印加され、上記と同様にしてマウス部受電用コイルＬｍが給電コイルＬｐ３上に存在するか否かの判断を行う。この場合の動作に関係する信号の状態を表したのが図１０である。
以下、同様に上記のような動作を繰り返し行うことによって位置検出と給電動作が行われる。
【００６６】
次に、上記動作を行う際の制御部２１の動作を、図８に示すフローチャートを用いて説明する。
制御部２１は、変数ｉに０を代入し（ステップＳ１）、変数ｉに代入されている値に１を加えて（ステップＳ２）、ｉに代入されている値が、パッド部２２に敷き詰められている給電コイルの数を超えたか否かを判断するために、ｉの値とｎ＋１の値とが等しいか否かの判定を行う（ステップＳ３）。なお、上述したようにパッド部２２に敷き詰められている給電コイルの個数はｎである。
【００６７】
ｉに代入されている値とｎ＋１の値とが等しい場合（ステップＳ３で「ＹＥＳ」）、変数ｉに代入されている値がパッド部２２に敷き詰められている給電コイルの個数を超えているので、給電コイルＬｐ１上にマウス部受電用コイルＬｍが存在するか否かの判定を行うためにステップＳ１に戻る。
【００６８】
一方、ｉに代入されている値とｎ＋１の値とが等しくない場合（ステップＳ３で「ＮＯ」）、給電コイルＬｐｉ上にマウス部受電用コイルＬｍが存在するか否かの判定を行うために、位置検出用トランジスタＴｒｄｉを除く全ての位置検出用トランジスタ及び全ての給電動作用トランジスタをＯＦＦとし（ステップＳ４）、位置検出用トランジスタＴｒｄｉをＯＮする（ステップＳ５）。
【００６９】
次に、制御部２１は、パルス発振器３５から図７の（ａ）に示すパルス信号を発振することによってＡｐ端子にパルス信号を入力して（ステップＳ６）、Ｔｄ時間経過するまで待つ（ステップＳ７）。
【００７０】
Ｔｄ時間の経過後、制御部２１は給電コイルＬｐｉの両端電圧値Ｖｘを取得し（ステップＳ８）、Ａｐ端子へのパルス信号の入力を停止して位置検出モードトランジスタＴｒaをＯＦＦにし（ステップＳ９）、取得した電圧値Ｖｘが基準値Ｖｒより大きいか否かの判定を行う（ステップＳ１０）。
【００７１】
Ｖｘ≧Ｖｒの場合（ステップＳ１０で「ＮＯ」）、マウス部受電用コイルＬｍは給電コイルＬｐｉ上にはないから、ステップＳ２に戻り、引き続きマウス部受電用コイルＬｍの位置検出を行う。
一方、Ｖｘ＜Ｖｒの場合（ステップＳ１０で「ＹＥＳ」）、マウス部受電用コイルＬｍは給電コイルＬｐｉ上にあるので、給電コイルＬｐｉからマウス部受電用コイルＬｍに給電を行うために、全ての位置検出用トランジスタをＯＦＦとし、また給電動作用トランジスタＴｒｐｉを除くすべての給電動作用トランジスタをＯＦＦにする（ステップＳ１１）。
【００７２】
次に、給電動作用トランジスタＴｒｐｉのベースにパルス発振器３５からのパルス信号を入力すると（ステップＳ１２）、給電コイルＬｐｉから給電が開始され、Ｔｃ時間経過するまで待つ（ステップＳ１３）。
この間、給電コイルＬｐｉとマウス部受電用コイルＬｍとの電磁誘導によってマウス３に誘導電力が供給される。
Ｔｃ時間経過後、制御部２１は給電を停止するために給電動作用トランジスタＴｒｐｉをＯＦＦにし（ステップＳ１４）、ステップＳ４に戻る。
【００７３】
次に、本発明に係る非接触給電システム１の具体例を、図１１及び図１２を参照しながら説明する。
【００７４】
ここでは、マウスパッド２及びマウス３のそれぞれの回路素子の数値を以下のように設定する。
（１）マウスパッド２の回路素子等について
（ｉ）給電コイルＬｐ１〜Ｌｐｎとして、内辺17.5ｍｍ、外辺24ｍｍ、平均インダクタンス18.3［μH］の四角形空芯コイルを用いて、図１１のようにパッド部２２の平面上に５個、６個、５個、６個、５個、６個となるように合計３３個配置する。
（ii）制御部２１内のパルス発振器３５の発振周波数を１２５［ｋＨｚ］とする。
【００７５】
（２）マウス３の回路素子等について
マウス３として市販の光学式ワイヤレスマウスを使用し、電源部４１を構成するそれぞれの回路素子の数値を以下のように設定する。
（ｉ）マウス部受電用コイルＬｍとして、内径14.5ｍｍ、外径31.45ｍｍ、インダクタンス148.8［μH］の円形空芯コイルを用いる。
（ii）共振用キャパシタ４８の静電容量を0.01［μＦ］とする。
【００７６】
（iii）ＥＤＬＣ４３として定格電圧2.3［Ｖ］、静電容量120［Ｆ］の電気二重層キ
ャパシタを２個直列接続して構成とする。したがって、充電が完了した際のＥＤＬＣ４３の電圧は4.6［Ｖ］（＝2.3［Ｖ］×２）である。
（iv）定電圧化回路４２としてＤＣ−ＤＣコンバータを使用し、設定出力電圧は、既存のマウス回路４０の入力定格電圧に合わせて1.5[Ｖ]とする。
【００７７】
図１２は、ＥＤＬＣ４３が完全放電の状態において、マウス３をパッド部２２平面上の中央部に放置して充電した際の、ＥＤＬＣ４３の電圧と、ＤＣ−ＤＣコンバータの出力電圧の時間的推移を表したものである。
図１２に示すように、充電開始から約８分後に、ＤＣ−ＤＣコンバータの出力が設定出力電圧の1.5［Ｖ］になり、この時点でマウス３が使用可能な状態になっていることが分かる。
【００７８】
また、充電開始から約１時間後には、ＥＤＬＣ４３の電圧が満充電状態の4.6［Ｖ］になる。この時点以降、ＥＤＬＣ４３の電圧は過充電防止回路４４によって4.6［Ｖ］に保たれている。
【００７９】
図１３は、ＥＤＬＣ４３が完全放電の状態から、ＤＣ−ＤＣコンバータの出力電圧が設定出力電圧である1.5［Ｖ］になるまでマウスをパッド部２２平面上の中央部に放置した後、マウス３を操作して継続的に使用、例えばインターネット検索を行いながら充放電を続けた場合の、ＥＤＬＣ４３の電圧とＤＣ−ＤＣコンバータの出力電圧の時間的推移を示している。
【００８０】
図１３に示すように、図１２と同様充電開始から約８分でＤＣ−ＤＣコンバータの出力電圧が設定出力電圧である1.5［Ｖ］となった。その後、インターネット検索中においてもＥＤＬＣ４３の電圧は増加しており、マウス３を操作しながらでも十分に充電が行われていることが確認される。
【００８１】
さらに、過充電防止回路４４により、ＥＤＬＣ４３の電圧が満充電電圧である4.6[Ｖ]を越えていないこが分かる。
以上のように、常時、マウスパッド２上のマウス３の位置が検出され、検出されたマウス３に最も近い位置にある給電コイルが選択され、マウス３のＥＤＬＣ４３に給電が行われ、電力が蓄電される。
【００８２】
これによって、マウス３がマウスパッド２の給電可能な領域を外れた場合であっても、ＥＤＬＣ４３からマウス３を駆動させるために必要な電力が供給されるので、マウス３がマウスパッド２の給電可能領域から外れることによって、マウス３に対して電力が供給できなくなりマウス３の操作が不能になることを防止することができる。
【００８３】
また、位置検出されたマウス３の位置に応じて、給電コイルＬｐ１〜Ｌｐｎの中から給電を行う一の給電コイルが選択され、選択された給電コイルからマウス３のマウス部受電用コイルＬｍに対して電磁誘導によって給電が行われる。
これにより、給電を行う際に、検出されたマウス３に最も近い位置にある給電コイルからの給電が可能となるので、電力の浪費を防ぐことができ効率の良い給電が可能となる。
【００８４】
また、ワイヤレスマウスの蓄電手段を電気二重層キャパシタとすることによって以下に示すような効果を得ることができる。
第一に、二次電池と比較して電気二重層キャパシタは軽いため、例えば従来のワイヤレスマウスのように二次電池を内蔵したマウスと比較して操作性に優れている。
第二に、二次電池は化学的に充放電が行われるので急速大電流の充放電が難しいが、電気二重層キャパシタは充放電時に化学変化を伴わず物理的に電荷が蓄積されるので、急速大電流の充放電が可能となる。その結果、二次電池と比べて、使用可能となるまでの時間、換言すれば給電時間が短縮されるので作業効率が向上する。
【００８５】
第三に、二次電池より広い温度範囲において安定した充放電挙動を示すので、周囲の環境変化に影響されず安定したマウスの使用ができる。
第四に、一般的に二次電池は深い充放電を繰り返すとサイクル寿命がさらに短くなるが、電気二重層キャパシタは二次電池よりサイクル寿命が長く50万から100万回の深い充放電が可能である。
第五に、二次電池のように重金属を含まないため、環境負荷が小さくなる。
【００８６】
（実施例２）
次に、本発明に係る非接触給電システム１の実施例２を、図面を参照しながら説明する。
実施例１で使用したパッド部２２の回路では、位置検出用トランジスタと給電動作用トランジスタの２種類のトランジスタを用いていた。本実施例は、位置検出用トランジスタと給電動作用トランジスタとを共用することによって使用するトランジスタの数を削減した回路を構成するものである。
【００８７】
マウスパッド２のパッド部２２の回路構成を、図面を参照しながら説明する。
図１４は、パッド部２２の回路の構成を示した図である。
図１４に示すようにパッド部２２は、供用トランジスタＴｒ１、Ｔｒ２、Ｔｒ３、…、Ｔｒｎ、給電コイルＬｐ１、Ｌｐ２、Ｌｐ３、…、Ｌｐｎ、抵抗Ｒ、Ｒa、Ｒｂ、位置検出モードトランジスタＴｒａ、給電モードトランジスタＴｒｂ、ダイオードＤ及びキャパシタＣを備えている。
【００８８】
供用トランジスタＴｒ１、Ｔｒ２、Ｔｒ３、…、Ｔｒｎは、位置検出機能と給電機能の両機能を担うトランジスタである。
位置検出モードトランジスタＴｒａは、実施例１と同様でマウス部受電用コイルＬｍの位置検出を行う際に、パルス発振器３５から出力される図７（ａ）のパルス信号と同波形の位置検出用パルス信号を、給電コイルＬｐ１、Ｌｐ２、Ｌｐ３、…、Ｌｐｎのいずれかに供給するためのトランジスタである。
【００８９】
給電モードトランジスタＴｒｂは、マウス部受電用コイルＬｍに給電を行う際に、パルス発振器３５から出力される図７（ａ）のパルス信号と同波形の給電用パルス信号を給電コイルＬｐ１、Ｌｐ２、Ｌｐ３、…、Ｌｐｎのいずれかに供給するためのトランジスタである。
【００９０】
Ａ端子及びＢ端子はコンピュータのＵＳＢ端子等に接続されており、ＵＳＢ端子等から供給される直流電圧が印加される。
Ａｐ端子及びＢｐ端子には、制御部２１内のパルス発振器３５から出力される図７（ａ）のパルス信号が印加される。
抵抗Ｒａは、位置検出時に給電コイルに流れる電流値を制御する。
抵抗Ｒｂは、給電時に給電コイルに流れる電流値を制御する。
【００９１】
なお、位置検出を行う際に給電コイルに供給される位置検出用電力を、給電を行う際に給電コイルの供給される供給用電力より小さくすることで、マウスパッド２で消費される電力を抑制することができる。そこで、位置検出用パルス信号の電流値が、給電動作用パルス信号の電流値よりも小さくなるように、位置検出モードトランジスタＴｒａのベース抵抗Ｒａの値は、給電モードトランジスタＴｒｂのベース抵抗Ｒｂの値と比較して大きく設定してある。
【００９２】
また、ダイオードＤ、抵抗Ｒ及びキャパシタＣについては実施例１と同様なのでここでは説明を割愛する。
次に、マウス部受電用コイルＬｍの位置検出と給電動作の仕組みを、図１５に示すフローチャートに関連付けて説明する。なお、実施例１と同様にしてマウス部受電用コイルＬｍが給電コイルＬｐ２上にあるものとする。
【００９３】
まず、マウス３、換言すればマウス部受電用コイルＬｍの位置を検出するために、制御部２１は、一定の時間Ｔｄの間、トランジスタＴｒ１をＯＮに、トランジスタＴｒ１以外の全ての共用トランジスタＴｒ２、Ｔｒ３、…、ＴｒｎをＯＦＦに、また給電モードトランジスタＴｒｂをＯＦＦにする制御信号を、各トランジスタのベースに印加する。
【００９４】
この状態において、パルス発振器３５から出力される図７（ａ）と同様なパルス信号を、Ａｐ端子に印加し、位置検出モードトランジスタＴｒａをスイッチングする。これによって、端子Ａに印加された直流電圧が図７（ａ）と同波形の位置検出用パルス信号となって、給電コイルＬｐ１だけに入力される。
【００９５】
次に、給電コイルＬｐ１だけに図７（ａ）と同波形の位置検出用パルス信号が入力されると、給電コイルＬｐ１の端子間電圧を、ダイオードＤと抵抗Ｒ、キャパシタＣからなる半波整流回路と平滑回路で整流した電圧値Ｖｘが制御部２１で取得される。
【００９６】
制御部２１は、取得した電圧値Ｖｘと予め設定された基準電圧値Ｖｒの大小に比較を行う。
図１４の場合、マウス部受電用コイルＬｍは給電コイルＬｐ１上に存在しないので、図７（ｂ）に示すようにＶｘ＞Ｖｒとなり、制御部２１によって、給電コイルＬｐ１上にマウス部受電用コイルＬｍが存在しないと判断される。
【００９７】
次に、給電コイルＬｐ２上にマウス部受電用コイルＬｍがあるか否かの判断を行うため、制御部２１は、一定時間Ｔｄの間、共用トランジスタＴｒ２をＯＮに、共用トランジスタＴｒ２以外の給電コイルに接続されている全ての共用トランジスタＴｒ１、Ｔｒ３、…、ＴｒｎをＯＦＦに、及び給電モードトランジスタＴｒｂをＯＦＦにする制御信号を各トランジスタのベースに印加する。
【００９８】
この状態において、パルス発振器３５から発振される図７（ａ）と同様なパルス信号を図１４中のＡｐ端子に印加し、位置検出モードトランジスタＴｒａをスイッチングすることにより、端子Ａに印加された直流電圧が図７（ａ）と同波形の位置検出用パルス信号となって、給電コイルＬｐ２だけに入力される。
【００９９】
その後、給電コイルＬｐ２の端子間電圧がダイオードＤと抵抗Ｒ、キャパシタＣからなる半波整流回路と平滑回路で整流され、電圧値Ｖｘが制御部２１で取得される。
制御部２１は、取得した電圧値Ｖｘと予め設定された基準電圧値Ｖｒの大小を行う。
【０１００】
図１４の場合、マウス部受電用コイルＬｍが給電コイルＬｐ２上に存在するので、図７（ｃ）に示すようにＶｘ＜Ｖｒとなるので、制御部２１は、給電コイルＬｐ２上にマウス部受電用コイルＬｍが存在すると判断し、給電を行うために位置検出動作を停止し、給電動作に移行する。
【０１０１】
次に、制御部２１は、共用トランジスタＴｒ２をＯＮにし、共用トランジスタＴｒ２以外の共用トランジスタＴｒ１、Ｔｒ３、…、ＴｒｎをＯＦＦに、及び位置検出モードトランジスタＴｒａをＯＦＦにする制御信号を各トランジスタのベースに印加する。
【０１０２】
この状態において、パルス発振器３５から出力される図７（ａ）と同様なパルス信号が、Ｂｐ端子に一定の給電時間Ｔｃの間印加され、給電モードトランジスタＴｒｂをスイッチングすることにより、端子Ｂに印加された直流電圧が図７（ａ）と同波形の給電用パルス信号となって、給電コイルＬｐ２だけに入力される。
【０１０３】
この結果、電磁誘導によって、給電コイルＬｐ２からマウス部受電用コイルＬｍに給電用パルス信号と同じ周波数の高周波電流が発生し、非接触で給電が行われる。
マウス部受電用コイルＬｍの両端に発生した高周波電流は、整流回路４７によって整流され、過電圧防止回路４６を経た後、ＥＤＬＣ４３に蓄電される。
【０１０４】
なお、給電動作の際に各給電コイルＬｐ１〜Ｌｐｎに流す給電用パルス信号の電流は、位置検出動作の場合より大きな電流が必要となるので、給電モードトランジスタＴｒｂのベース抵抗Ｒｂの値は、位置検出モードトランジスタＴｒａのベース抵抗Ｒａに比べて小さく設定してある。
【０１０５】
次に、一定の給電時間Ｔｃを経過した後、再び、制御部２１から共用トランジスタＴｒ２をＯＮにし、共用トランジスタＴｒ２以外の給電コイルに接続されている全ての共用トランジスタＴｒ１、Ｔｒ３、…、ＴｒｎをＯＦＦに、及び給電モードトランジスタＴｒｂをＯＦＦにする制御信号が各トランジスタのベースに印加される。
【０１０６】
この状態において、パルス発振器３５から図７（ａ）と同様なパルス信号を図１４中のＡｐ端子に一定の位置検出時間Ｔｄの間印加し、位置検出モードトランジスタＴｒａをスイッチングすることにより、端子Ａに印加された直流電圧が図７（ａ）と同波形の位置検出用パルス信号となって、給電コイルＬｐ２だけに入力される。
【０１０７】
以後は先に述べたのと同様の方法で、マウス部受電用コイルＬｍが給電コイルＬｐ２上に存在するか否かが制御部２１によって判断される。
すなわち、制御部２１によって、再びマウス部受電用コイルＬｍが給電コイルＬｐ２上に存在すると判断されれば、再び給電動作が繰り返される。
この際の動作に関係する信号の状態を表したのが図１６である。
【０１０８】
一方、マウス部受電用コイルＬｍが給電コイルＬｐ２上に存在しないと判断されれば、給電コイルＬＰ２の次の給電コイルである給電コイルＬｐ３上に存在するか否かの判断に移行する。
即ち、制御部２１は、一定の位置検出時間Ｔｄの間、共用トランジスタＴｒ３をＯＮにし、給電コイルＬｐ１〜Ｌｐｎに接続されている、共用トランジスタＴｒ３以外の全ての共用トランジスタＴｒ１、Ｔｒ２、Ｔｒ４、…、Ｔｒｎ及び給電モードトランジスタＴｒｂをＯＦＦ状態にする制御信号を各トランジスタのベースに印加する。
【０１０９】
上記と同様にして、マウス部受電用コイルＬｍが給電コイルＬｐ３上に存在するか否かの判定が制御部２１によってされる。
この際の動作に関係する信号の状態を表したのが図１７である。
以下、同様に上記のような動作を繰り返し行うことによってマウス部受電用コイルＬｍの位置検出と給電が行われる。
【０１１０】
次に、制御部２１の動作を、図１５に示すフローチャートを用いて説明する。
制御部２１は、変数ｉに０を代入し（ステップＳ２１）、変数ｉに代入されている値に１を加えて（ステップＳ２２）、ｉに代入されている値が、パッド部２２に敷き詰められている給電コイルの個数ｎを超えたか否かを判断するために、ｉの値とｎ＋１の値とが等しいか否かの判定を行う（ステップＳ２３）。
【０１１１】
ｉに代入されている値とｎ＋１の値とが等しい場合（ステップＳ２３で「ＹＥＳ」）、変数ｉに代入されている値が敷き詰められている給電コイルの個数を超えており、最初の給電コイルＬｐ１上にマウス部受電用コイルＬｍがあるか否かの判断を行うため、ステップＳ２１に戻る。
一方、ｉに代入されている値とｎ＋１の値とが等しくない場合（ステップＳ２３で「ＮＯ」）、共用トランジスタＴｒｉと位置検出モードトランジスタＴｒaとを除く全てのトランジスタをＯＦＦにし（ステップＳ２４）、共用トランジスタＴｒｉをＯＮする（ステップＳ２５）。
【０１１２】
次に、制御部２１は、パルス発振器３５からパルス信号を発信することによってＡｐ端子にパルス信号を入力して位置検出モードトランジスタＴｒaをスイッチングし（ステップＳ２６）、位置検出時間Ｔｄが経過するまで信号を発振する（ステップＳ２７）。
位置検出時間Ｔｄの経過後、制御部２１は、電圧値Ｖｘを取得し（ステップＳ２８）、Ａｐ端子へのパルス信号の入力を停止することによって位置検出モードトランジスタＴｒaをＯＦＦにし（ステップＳ２９）、取得したＶｘの値が基準値Ｖｒより大きいか否かの判定を行う（ステップＳ３０）。
【０１１３】
Ｖｘ≧Ｖｒの場合（ステップＳ３０で「ＮＯ」）、マウス部受電用コイルＬｍは給電コイルＬｐｉ上にはないから、ステップＳ２２に戻り、引き続きマウス部受電用コイルＬｍの位置検出を行う。
一方、Ｖｘ＜Ｖｒの場合（ステップＳ３０で「ＹＥＳ」）、マウス部受電用コイルＬｍは給電コイルＬｐｉ上にあり、マウス部受電用コイルＬｍへ給電を行うために、共用トランジスタＴｒｉと給電モードトランジスタＴｒｂを除くすべてのトランジスタをＯＦＦとし（ステップＳ３１）、共用トランジスタＴｒｉのみをＯＮにする（ステップＳ３２）。
【０１１４】
次に、Ｂｐ端子にパルス発振器３５からのパルス信号を入力し、給電モードトランジスタＴｒｂをスイッチングし（ステップＳ３３）、給電時間Ｔｃが経過するまでパルス信号を入力する（ステップＳ３４）。
この間、給電コイルＬｐｉとマウス部受電用コイルＬｍとの電磁誘導によってマウス３に誘導電力が供給される。
給電時間Ｔｃが経過後、給電モードトランジスタＴｒｂをＯＦＦにして（ステップＳ３５）、給電を停止してステップＳ２４に戻る。
以上のように、本実施例によれば使用するトランジスタの数を減らすことが可能となる。
その結果、マウスパッド２を製造する際のコストを軽減させることができる。
【０１１５】
（実施例３）
次に、本発明に係る非接触給電システムの実施例３を、図面を参照しながら説明する。
実施例１及び実施例２では、マウス３内の電気二重層キャパシタが所定の電圧に達した場合、過充電防止回路４４によって過充電が防止される。ところが、マウスパッド２からマウス３への給電は継続されるので、絶えず過充電防止回路が働くことになり電力損失が生じることになる。
【０１１６】
本実施例では、この電力損失を防止するためにマウスパッド２とマウス３の間で通信を行うことにより、電気二重層キャパシタが所定の電圧に達した場合、マウスパッド２からのマウス３への給電を停止するものである。
マウス３の回路の構成を、図１８を参照しながら説明する。
【０１１７】
図１８に示すようにマウス３はマウス回路４０と電源部４１aとを備えている。
電源部４１aは、定電圧化回路４２、ＥＤＬＣ４３、満充電検出回路４４a、ダイオード４５、過電圧防止回路４６、整流回路４７、共振用キャパシタ４８、マウス部受電用コイルＬｍ及び赤外線発光ダイオード５０を備えている。
【０１１８】
満充電検出回路４４aは、ＥＤＬＣ４３の過充電を防止するとともに、ＥＤＬＣ４３が所定の電圧に達した場合、その旨を示す信号である満充電検出信号を出力する。
赤外線発光ダイオード５０は、図１９に示すようにマウス３の前面に配置され、ＥＤＬＣ４３が所定の電圧に達した旨を示す、満充電検出回路４４aからの信号である満充電信号を受信すると、赤外線を出力する。
【０１１９】
また、マウスパッド２の制御部２１には、図１９に示すように赤外線受信モジュール５０aが設けられており、マウス３の赤外線発光ダイオード５０から出力された赤外線を受信する。なお、上記以外のマウスパッド２の回路構成は、実施例３と同じなので、ここでは回路構成についての説明は割愛する。
次に、回路の動作の仕組みを、図２１に示すフローチャートと関連付けながら説明する。
マウスパッド２からマウス３に対して電力の供給が開始されると、供給された電力はＥＤＬＣ４３への蓄電が開始される。
【０１２０】
ＥＤＬＣ４３が所定の電圧に達すると、満充電検出回路４４aによって満充電検出信号が出力され、これによって赤外線発光ダイオード５０が駆動される。
赤外線発光ダイオード５０は赤外線を出力することにより、制御部２１に設けられた赤外線受信モジュール５０aとの間で通信が行われ、ＥＤＬＣ４３が所定の電圧に達した旨（満充電検出信号）が送信される。
【０１２１】
制御部２１はその旨（満充電検出信号）を受信すると（ステップＳ５６で「ＹＥＳ」）、Ａ端子及びＢ端子への給電を停止し（ステップＳ５７）、その結果マウス３への給電が停止される。
図２０（ａ）は、制御部２１の給電及び給電停止を時系列で示した図である。
図２０（ａ）に示すように、制御部２１は、給電中に満充電信号を受信すると、一定時間Ａ端子及びＢ端子への給電を停止し、その結果マウス３への給電が停止される。一定時間の経過後、制御部２１は、再びパッド部２２への給電を開始する。
【０１２２】
なお、図２０（ｂ）のように、マウス３の満充電検出回路４４aがＥＤＬＣ４３の電圧を計測し、満充電になると満充電検出信号を出力するが、これに加えてＥＤＬＣ４３の電圧が設定電圧以下になるとマウス３からマウスパッド２の制御部２１に、給電開始を要求する給電要求信号を出力するようにして、制御部２１が給電再開を行う構成としても良い。
【０１２３】
次に、図２０（ａ）に示した動作を行う際の制御部２１の動作を図２１に示すフローチャートを参照しながら説明する。
制御部２１は、変数ｉに０を代入し（ステップＳ４１）、変数ｉに代入されている値に１を加えて（ステップＳ４２）、ｉに代入されている値が、パッド部２２に敷き詰められている給電コイルの個数ｎを超えたか否かを判断するために、ｉの値とｎ＋１の値とが等しいか否かの判定を行う（ステップＳ４３）。
【０１２４】
ｉに代入されている値とｎ＋１の値とが等しい場合（ステップＳ４３で「ＹＥＳ」）、変数ｉに代入されている値が敷き詰められている給電コイルの個数を超えており、最初のコイルパッドからコイルの検出を行うために、ステップＳ４１に戻る。
【０１２５】
一方、ｉに代入されている値とｎ＋１の値とが等しくない場合（ステップＳ４３で「ＮＯ」）、ｉ番目の給電コイルＬｐｉ上にマウス部受電用コイルＬｍが存在するか否かを判定するために、共用トランジスタＴｒｉと位置検出モードトランジスタＴｒａとを除く全てのトランジスタをＯＦＦにし（ステップＳ４４）、共用トランジスタＴｒｉのみをＯＮする（ステップＳ４５）。
【０１２６】
次に、制御部２１は、パルス発振器３５からパルス信号を発信することによってＡｐ端子にパルス信号を入力して位置検出モードトランジスタＴｒａをスイッチングし（ステップＳ４６）、時間がＴｄ経過するまで待つ（ステップＳ４７）。
制御部２１は、電圧Ｖｘを取得し（ステップＳ４８）、Ａｐ端子へのパルス信号の入力を停止して位置検出モードトランジスタＴｒａをＯＦＦにし（ステップＳ４９）、電圧Ｖｘの値が基準値Ｖｒを超えたか否かの判定を行う（ステップＳ５０）。
【０１２７】
Ｖｘ≧Ｖｒの場合（ステップＳ５０で「ＮＯ」）、マウス部受電用コイルＬｍは給電コイルＬｐｉ上にはないから、ステップＳ４２に戻り、引き続きマウス部受電用コイルＬｍの位置検出を行う。
一方、Ｖｘ＜Ｖｒの場合（ステップＳ５０で「ＹＥＳ」）、マウス部受電用コイルＬｍは給電コイルＬｐｉ上にあり、給電コイルＬｐｉからマウス部受電用コイルＬｍに給電を行うために、共用トランジスタＴｒｉ及び給電モードトランジスタＴｒｂを除く全てのトランジスタをＯＦＦとし（ステップＳ５１）、共用トランジスタＴｒｉのみをＯＮにする（ステップＳ５２）。
【０１２８】
次に、Ｂｐ端子にパルス発振器３５からのパルス信号を入力することによって給電モードトランジスタＴｒｂをスイッチングし（ステップＳ５３）、給電時間Ｔｃ経過するまで待つ（ステップＳ５４）。この間、マウス部給電コイルＬｍと給電コイルＬｐｉとの電磁誘導によって給電が行われる。
給電が終了すると給電モードトランジスタＴｒｂをＯＦＦにし（ステップＳ５５）、赤外線発光ダイオード５０から満充電信号を受信したか否かの判定を行う（ステップＳ５６）。
満充電信号を受信していない場合、まだＥＤＬＣ４３に対して十分な電力の供給は行っていないから、ステップＳ４４に戻り位置検出動作及び給電動作を続ける。
【０１２９】
一方、満充電信号を受信した場合（ステップＳ５６でＹＥＳ）、ＥＤＬＣ４３には十分な電力が供給されておりこれ以上の給電は電力の無駄であるから、Ａ端子及びＢ端子への電圧の印加を停止し（ステップＳ５７）、所定の時間が経過するまで待つ（ステップＳ５８）。
この間、Ａ端子及びＢ端子への給電は停止され、その結果、マウス３への給電は停止される。
次に、所定の時間の経過後、Ａ端子及びＢ端子への電圧の印加を開始し（ステップＳ５９）、ステップＳ４４に戻り位置検出動作及び給電動作を開始する。
【０１３０】
次に、市販の光学式ワイヤレスマウスの電源部を図１８に示した電源部に置き換え、第実施例１と同じ回路素子を用いてマウスを構築した。
但し、蓄電用のＥＤＬＣ４３として定格電圧2.7［Ｖ］、静電容量16［Ｆ］のＥＤＬＣを２個直列接続構成とした。蓄電用のＥＤＬＣの静電容量を実施例１の場合より小さくしたのは、充電開始からできるだけ短時間でマウス３を使用可能な状態にするためである。
【０１３１】
したがってＥＤＬＣ４３の満充電電圧は5.4［Ｖ］（＝2.7［Ｖ］×２）となるが、各ＥＤＬＣの静電容量のばらつきを考慮し、満充電と判定する電圧を定格電圧以下の5.1［Ｖ］に設定した。（以下ではこの電圧を満充電電圧という）。
また定電圧化回路４２としてのＤＣ−ＤＣコンバータの設定出力電圧は、図１８中のマウス回路（既存）の入力定格電圧に合わせて1.5［Ｖ］とした。
【０１３２】
さらに給電コイルも実施例１と同じ四角形空芯コイルを用い、それらの配置も、実施例１と同様、図１１のように配置してパッド部２２を構築した。
なお、パルス発振器３５の発振周波数も実施例１と同じ125［ｋＨｚ］とした。
図２２は、マウス３内のＥＤＬＣ４３が完全放電の状態において、マウス３をパッド部２２平面上の中央部に放置して充電した場合の、ＥＤＬＣ４３の電圧と、定電圧化回路４２であるＤＣ−ＤＣコンバータの出力電圧の時間的推移を表している。
【０１３３】
図２２から、充電開始から２分３０秒後に、ＤＣ−ＤＣコンバータの出力が設定出力電圧の1.5［Ｖ］になり、この時点でマウスが可動状態になっていることが分かる。
また、充電開始から１３分３６秒後に、ＥＤＬＣ４３の電圧が満充電電圧である5.1［Ｖ］になり、この時点以降、ＥＤＬＣ４３の電圧は過充電防止回路４４によってこの電圧に保持されていることが確認される。なお、ＥＤＬＣの電圧が5［Ｖ］付近で脈動しているのは、ＥＤＬＣの満充電が検出されてＡ端子及びＢ端子への給電が停止され、所定の時間が経過するまでの間、マウス回路でわずかに電力が消費された後，Ａ端子及びＢ端子への給電が再開され、蓄電が行われるという動作が繰り返されているからである。
【０１３４】
また、図２３はマウス３内の蓄電用のＥＤＬＣ４３が完全放電の状態から、定電圧化回路４２であるＤＣ−ＤＣコンバータの出力電圧が設定出力電圧である1.5［Ｖ］になるまでマウス３をパッド部２２の平面上の中央部に放置した後、マウス３を操作して継続的にインターネット検索を行いながら充放電を続けた場合の、ＥＤＬＣ４３の電圧と定電圧化回路４２であるＤＣ−ＤＣコンバータの出力電圧の時間的推移を示している。
【０１３５】
図２３より、図２２と同様、充電開始から２分３０秒後に定電圧化回路４２であるＤＣ−ＤＣコンバータの出力電圧が設定出力電圧である1.5［Ｖ］となった後、インターネット検索中においてもＥＤＬＣ４３の電圧は増加しており、マウス３を操作しながらでも十分に充電が行われていることが確認される。さらに過充電防止回路４４により、ＥＤＬＣ４３の電圧が満充電電圧である5.1［Ｖ］を越えていないこが分かる。
【０１３６】
以上のように、ＥＤＬＣ４３が所定の電圧に達したか否かの判定が行われ、ＥＤＬＣ４３が所定の電圧に達したと判定された場合、その旨がマウスパッド２に送信され、位置検出動作及び給電動作が中断される。
これにより、マウス３内の電気二重層キャパシタが所定の電圧に達しているのにも関わらず、マウスパッド２からマウス３への給電が継続されることによって生じる電力の損失を防止することができる。
【０１３７】
（実施例４）
次に、本発明に係る非接触給電システムの実施例４を、図面を参照しながら説明する。
実施例２で示した図１４の回路構成では、給電コイルに接続されるトランジスタの数が、実施例１で示した図６の回路構成の場合の約半数である。
【０１３８】
しかし、図１４に示した回路構成においても各給電コイルに位置検出のスイッチング機能と給電のスイッチング機能の両機能を担うトランジスタが１つずつ接続されている。そのため、給電コイルと同数の位置検出用選択手段と給電選択手段の両機能を担うトランジスタが必要であり、またマウスパッド２の制御部２１にもこれと同数の制御信号の出力端子が必要である。その結果、給電コイルの数に比例してトランジスタの数が増加する。
【０１３９】
本実施例は、位置検出スイッチング機能と給電スイッチング機能の両機能に加えて、さらに列選択機能と行選択機能を兼ね備えたトランジスタを配置することにより、トランジスタの数を削減すると同時に、制御部の出力端子数も削減するようにしたものである。
【０１４０】
本実施例で使用されるマウスパッド２の回路構成を、図面を参照しながら説明する。
図２４は、マウスパッド２の回路構成を示した図であり、図に示すように抵抗Ｒ、Ｒａ、Ｒｂ、位置検出モードトランジスタＴｒａ、給電モードトランジスタＴｒｂ、行選択トランジスＴｒｒ１、Ｔｒｒ２、Ｔｒｒ３、…、Ｔｒｒｍ、列選択トランジスタトランジスタＴｒｃ１、Ｔｒｃ２、Ｔｒｃ３、…、Ｔｒｃｎ、給電コイルＬｐ１１、・・・・、Ｌｐｍｎ、ダイオードＤ及びキャパシタＣを備えている。
【０１４１】
行選択トランジスＴｒｒ１、Ｔｒｒ２、Ｔｒｒ３、…、Ｔｒｒｍは、位置検出用選択手段及び給電用選択手段として用いられ、給電コイルの行を指定するトランジスタである。
列選択トランジスタＴｒｃ１、Ｔｒｃ２、Ｔｒｃ３、…、Ｔｒｃｎは、位置検出用選択手段及び給電用選択手段として用いられ、給電コイルの列を指定するトランジスタである。
【０１４２】
なお、抵抗Ｒ、Ｒａ、Ｒｂ、位置検出モードトランジスタＴｒａ、給電モードトランジスタＴｒｂ及び給電コイルＬｐ１１、・・・・、Ｌｐｍｎについては上記実施例と同じなので、ここでは詳しい説明は割愛する。
【０１４３】
図２４に示すように、電源とグランド間で網目状に接続した「行」配線と、「列」配線をマトリクス（格子状）に組み、行配線と列配線の交点部分に給電コイルを１個ずつ接続し「行」配線に接続した行選択トランジスタと、「列」配線に接続した列選択トランジスタとを接続して回路を形成する。
【０１４４】
図２４において、Ｌｐ１１に位置検出用パルス信号あるいは給電用パルス信号を入力する場合、行選択トランジスタＴｒｒ１と列選択トランジスタＴｒｃ１をＯＮにし、その他の行選択トランジスタと列選択トランジスタをＯＦＦにすればよい。またＬｐ１２に位置検出用パルス信号あるいは給電用パルス信号を入力する場合には、行選択トランジスタＴｒｒ１と列選択トランジスタＴｒｃ２をＯＮにし、その他の行選択トランジスタと列選択トランジスタをＯＦＦにすればよい。
なお、図２４の回路構成におけるマウス部受電用コイルＬｍの位置検出機能と給電機能に関する制御部２１の動作は、実施例２の場合と同様であるのでここでは詳しい説明は割愛する。
また、本実施例において、実施例３と同様にしてパッド部２２からの給電停止機能を持たせる構成としても良い。
【０１４５】
以上のような回路構成にすることにより、行選択トランジスタと列選択トランジスタとを組み合わせてＯＮ，ＯＦＦすることで、少ない数のトランジスタによって特定の給電コイルを選択的に駆動することが可能となる。
【０１４６】
（実施例５）
次に、本発明に係る非接触給電システムの実施例５を、図面を参照しながら説明する。
本実施例では、蓄電可能容量の異なる２つの蓄電手段を設けることによってマウスをできるだけ早く使用可能な状態にし、かつできるだけ多くの電力を蓄電できるマウスの回路を構築するものである。
【０１４７】
本発明に係る非接触給電システムに使用されるマウス３の回路構成を、図面を参照しながら説明する。
図２５は、マウス３の回路の概略構成を示した図である。
図２５に示すように、マウス３はマウス回路４０と電源部４１ｂとを備えている。
【０１４８】
電源部４１ｂは、定電圧化回路４２、ダイオード４５、過電圧防止回路４６、整流回路４７、共振用キャパシタ４８、マウス部受電用コイルＬｍ、満充電検出回路４４a、赤外線発光ダイオード５０、端子間電圧検出回路５１、第１ＥＤＬＣ５２、第２ＥＤＬＣ５３、スイッチ５４及びダイオード５６、５７を備えている。
【０１４９】
端子間電圧検出回路５１は、第１ＥＤＬＣ５２が所定の電圧に達した場合、蓄電先を第２ＥＤＬＣ５３にするためにスイッチ５４をｂ端子側に切り替える。また、第１ＥＤＬＣ５２が放電された結果、所定の電圧以下になった場合、再びスイッチ５４を端子ａ側に切り替え第１ＥＤＬＣ５２に蓄電を行う。
【０１５０】
満充電検出回路４４aは、第２ＥＤＬＣ５３の過充電を防止するとともに、第２ＥＤＬＣ５３が所定の電圧に達した場合、その旨を示す満充電検出信号を、赤外線発光ダイオード５０に出力する。
第１ＥＤＬＣ５２は、第２ＥＤＬＣ５３よりも蓄電可能な容量が小さな電気二重層キャパシタである。
第２ＥＤＬＣ５３は、第１ＥＤＬＣ５２よりも蓄電可能な容量が大きな電気二重層キャパシタである。
【０１５１】
スイッチ５４は、端子間電圧検出回路５１からの指示によって、ａ端子又はｂ端子に切り替え接続する。
なお、マウス回路４０、定電圧化回路４２、ダイオード４５、５６及び５７、過電圧防止回路４６、整流回路４７、共振用キャパシタ４８、赤外線発光ダイード５０及びマウス部受電用コイルＬｍは、上記実施例と同じなのでここでは説明を割愛する。
【０１５２】
次に、本実施例に係るマウスの動作の仕組みを説明する。
第１ＥＤＬＣ５２の端子間電圧が予め定められた電圧以下の時には、スイッチ５４は端子ａ側に接続されている。したがって、第１ＥＤＬＣ５２が完全放電状態の時、給電コイルから給電が開始されると誘導電力はまず、静電容量の小さな第１ＥＤＬＣ５２に蓄電される。
【０１５３】
第１ＥＤＬＣ５２に電荷が蓄積され、第１ＥＤＬＣ５２の端子間電圧が定電圧化回路４２を駆動できる電圧に達すると、マウス３は使用可能な状態になる。したがって、第１ＥＤＬＣ５２の静電容量が小さいほど、マウスが可動状態になるまでの時間は短くなる。
その後、マウス３は第１ＥＤＬＣ５２に蓄電された電力によって稼働を続けながら、第１ＥＤＬＣ５２への充電が継続される。
やがて第１ＥＤＬＣ５２が所定の電圧に達すると、端子間電圧検出回路５１はスイッチ５４をｂ端子側に切り替え、蓄電先を第２ＥＤＬＣ５３に切り替える。
【０１５４】
第１ＥＤＬＣ５２に蓄積された電力が定電圧化回路４２及びマウス回路４０で消費され、第１ＥＤＬＣ５２の端子間電圧が予め定められた電圧以下になると、端子間電圧検出回路５１は、再びスイッチ５４をａ端子側に切り換え、マウスパッド２から供給された電力を第１ＥＤＬＣ５２に蓄電する。
【０１５５】
一方、第２ＥＤＬＣ５３が所定の電圧に達すると、満充電検出回路４４aは、満充電検出信号を出力し、これによって赤外線発光ダイオード５０が駆動される。
マウスパッド２の制御部２１内に設けられた赤外線受信モジュール５０aとの間で赤外線通信が行われ、第１ＥＤＬＣ５２及び第２ＥＤＬＣ５３への充電が完了した旨がマウスパッド２の制御部２１に伝えられる。
【０１５６】
これを受けて、制御部２１は、マウスの位置検出動作、及びマウス３への給電動作を停止する。
また、マウス３が給電可能な領域から外れた領域で使用され、第１ＥＤＬＣ５２の放電が進み所定の電圧以下になった場合、端子間電圧検出回路５１はスイッチ５４をａ端子側に切り替え、マウスパッド２からの給電に備えるが、マウス３の駆動に必要な電力はダイオード５６を経由して第２ＥＤＬＣ５３から供給される。
【０１５７】
なお、定電圧化回路４２及びマウス回路４０への電力の供給は、第１ＥＤＬＣ５２と第２ＥＤＬＣ５３のうち端子間電圧の大きい方から行われる。
上記のような動作を繰り返し、第１ＥＤＬＣ５２及び第２ＥＤＬＣ５３の充電及び放電が行われる。
本発明に係る非接触給電システムは次のような効果を奏する。
【０１５８】
一般的に、マウスは、電力が供給され始めてからできるだけ早く使用可能な状態になり、かつ、マウスがマウスパッドの給電可能な領域から外れてもできるだけ長時間、使用可能な状態が保持される方が良い。換言すれば、マウスができるだけ早く使用可能な状態になり、できるだけ多くの電力を蓄積できる方が使い勝手が良い。
【０１５９】
ところが、できるだけ早くマウスを使用可能な状態にするためには、電気二重層キャパシタの静電容量を小さくしなければならない一方、できるだけ多くの電力を蓄電するためには電気二重層キャパシタの静電容量を大きくしなければならない。従って、できるだけ早くマウスを使用可能な状態にすることと、できるだけ多くの電力を蓄積することを両立させることは難しい。
【０１６０】
そこで、本実施例では、図２５に示すようにマウス３に静電容量の異なる２つの電気二重層キャパシタ５２、５３を設け、給電が開始されるとまず容量の小さい電気二重層キャパシタ５２の方に電力を蓄電することによってマウスの開始に係る時間の短縮を可能にしている。
また、該電気二重層キャパシタ５２が所定の電圧に達すると、給電先を容量の大きい電気二重層キャパシタ５３に切り替えることにより、多くの電力を蓄積し、長時間のマウスの使用も可能にしている。
【０１６１】
これによって、マウスをできるだけ早く可動状態にし、かつ長時間、マウス３がパッドパッド部２２から離れても可動状態を維持できる電力を蓄積できる電源部を構築することができる。即ち、本実施例で使用されるマウスパッドとマウスとの組み合わせによって、できるだけ速く，しかも効率よく，マウスを稼働可能な状態にできるシステムを提供することができる。
なお、本実施形態では、位置検出用素子及び給電用素子としてトランジスタを用いたがこれらの素子はスイッチング素子であれば何でも良く、トランジスタにとらわれるものではない。
【図面の簡単な説明】
【０１６２】
【図１】本発明の実施形態に係る非接触給電システムの構成を示した図である。
【図２】マウスパッド及びマウスの断面を示した図である。
【図３】マウスのブロック図を示した図である。
【図４】給電コイルの配置の仕方の例を示した図である。
【図５】実施例１に係るマウスの回路構成を示した図である。
【図６】実施例１に係るマウスパッドの回路構成を示した図である。
【図７】パルス発振器から出力されるパルスと電圧とを示した図である。
【図８】実施例１の制御部の動作を示すフローチャートである。
【図９】パルス発振器の出力状態と各トランジスタの状態を示した図である。
【図１０】パルス発振器の出力状態と各トランジスタの状態とを示した図である。
【図１１】実施例１のマウスパッドの具体例を示した図である。
【図１２】マウスを使用していない際の電圧と時間との関係を示した図である。
【図１３】マウスを使用した際の電圧と時間との関係を示した図である。
【図１４】実施例２で使用するマウスパッドの回路構成を示した図である。
【図１５】実施例２の制御部の動作を示すフローチャートである。
【図１６】パルス発振器の出力状態と各トランジスタの状態を示した図である。
【図１７】パルス発振器の出力状態と各トランジスタの状態を示した図である。
【図１８】実施例３で使用するワイヤレスマウスの回路構成を示した図である。
【図１９】実施例３で使用するマウスとマウスパッドの断面図である。
【図２０】給電と給電停止とのタイミングを示した図である。
【図２１】実施例３における制御部の動作を示すフローチャートである。
【図２２】マウスを使用してない場合の電圧と時間との関係を示した図である。
【図２３】マウスを使用した場合の電圧と時間との関係を示した図である。
【図２４】実施例４で使用するマウスパッドの回路構成を示した図である。
【図２５】実施例５で使用するマウスの回路構成を示した図である。
【図２６】従来例を示す図である。
【符号の説明】
【０１６３】
１・・・非接触給電システム
２・・・マウスパッド
３・・・マウス
２１・・・制御部
２２・・・パッド部
Ｌｐ１〜Ｌｐｎ・・・給電コイル
２５・・・基部
２６・・・表面保護材
Ｌｍ・・・マウス部受電用コイル
【図１】
2009271846.tif 000004
【図２】
2009271846.tif 000005
【図３】
2009271846.tif 000006
【図４】
2009271846.tif 000007
【図５】
2009271846.tif 000008
【図６】
2009271846.tif 000009
【図７】
2009271846.tif 000010
【図８】
2009271846.tif 000011
【図９】
2009271846.tif 000012
【図１０】
2009271846.tif 000013
【図１１】
2009271846.tif 000014
【図１２】
2009271846.tif 000015
【図１３】
2009271846.tif 000016
【図１４】
2009271846.tif 000017
【図１５】
2009271846.tif 000018
【図１６】
2009271846.tif 000019
【図１７】
2009271846.tif 000020
【図１８】
2009271846.tif 000021
【図１９】
2009271846.tif 000022
【図２０】
2009271846.tif 000023
【図２１】
2009271846.tif 000024
【図２２】
2009271846.tif 000025
【図２３】
2009271846.tif 000026
【図２４】
2009271846.tif 000027
【図２５】
2009271846.tif 000028
【図２６】
2009271846.tif 000029